(57)【特許請求の範囲】
【請求項１】
コネクタハウジング（１１）の内部に挿入された接続端子（１３）の抜け止めとなる係止ランス（１４）を具備せしめてなるコネクタハウジング（１１）と、該コネクタハウジング（１１）の上記接続端子挿入側と反対側より嵌入されて、コネクタハウジング（１１）内に既に挿入されている接続端子（１３）を、該接続端子の挿入方向に延びる片持ち状の係止部（１８）と該係止部の上記接続端子側に設けられた係止段部（１９）を備えて、上記係止ランス（１４）と協働して二重係止するリテーナ（１６）を有し、該リテーナ（１６）は、コネクタハウジング（１１）に対し、プリセット位置と本セット位置が設定できるコネクタにおいて、上記コネクタハウジング（１１）の内側面に、誤セット防止突起（１５）を突設せしめ、上記リテーナ（１６）の係止部（１８）側面には、該リテーナ（１６）のプリセット位置で上記誤セット防止突起（１５）と係止してリテーナ（１６）の嵌入が阻止され、かつこのリテーナ（１６）がプリセット位置にあるとき、上記コネクタハウジング（１１）の内部に挿入される接続端子（１３）の挿入力で押動されて誤セット防止突起（１５）との係止が解除されてリテーナ（１６）のコネクタハウジング（１１）内部への嵌入が許される突起（２１）を設け、さらに上記リテーナ（１６）の係止部（１８）の先端部には、コネクタハウジング（１１）内に挿入されている接続端子（１３）が半挿入状態であるとき、その半挿入状態にある接続端子（１３）に押動されてコネクタハウジング（１１）の外部へ突出される突起部（２０）が形成されていることを特徴とする端子半挿入検知コネクタ。
【発明の詳細な説明】
【０００１】
【発明の属する技術分野】
本発明は、コネクタハウジング内に挿着する接続端子を係止ランスとリテーナにより二重係止させる構造のコネクタであって、特にコネクタハウジング内への接続端子の挿入前におけるリテーナのプリセット位置を確保し、またコネクタハウジング内へ挿入した接続端子完全装着の確認を容易ならしめることができる端子半挿入検知コネクタに関するものである。
【０００２】
【従来の技術】
コネクタハウジングの各端子収納室内に設けられている係止ランスと、そのコネクタハウジングに対して嵌合保持されるリテーナとによって、コネクタハウジングの各端子収納室内に挿入した接続端子を二重係止する構造のコネクタは既に知られているが、かかる二重係止コネクタの本願発明の技術に最も接近している従来例として、例えば図７乃至図１１で示す構造のものがある。
【０００３】
この従来例のコネクタは、複数個の接続端子１を収納し得る端子収納室２を形成してなるコネクタハウジング３と、このコネクタハウジング３の各端子収納室２内に挿入された接続端子１の抜け止めを行なうリテーナ４（フロントホルダ）を有しており、さらにこのリテーナ４の外側面には該リテーナ４を、コネクタハウジング３に対してプリセット位置又は本セット位置を維持せしめるための仮係止爪５及び本係止爪６が突設されている。
【０００４】
そしてかかる構造のコネクタにあっては、そのコネクタハウジング３の端子収納室２内へ接続端子１を挿入する前のコネクタハウジング３及びリテーナ４の形態は、図８、図９で示すように、コネクタハウジング３の相手コネクタハウジング（図示せず）嵌合側開口部の口縁７内側及び外側に、リテーナ４に設けられている仮係止爪５及び本係止爪６がそれぞれ係止されるようにしてコネクタハウジング３に対するリテーナ４のプリセット位置を維持させて、コネクタハウジング３とリテーナ４とを組合せ保持させている。
【０００５】
かくしてコネクタハウジング３とリテーナ４とが組合せられているコネクタ部品に対して、接続端子１を挿着するには、図９で示すようにコネクタハウジング３に設けられている端子挿入口８より端子収納室２内に向けて挿入する。このときの接続端子１は、リテーナ４の係止爪４Ａを押し上げると共にコネクタハウジング３に設けられている係止ランス９を押し下げながら押入させることができ、この接続端子１がコネクタハウジング３内に完全挿入された時点で、接続端子１は係止ランス９と係止されて抜け止めとなる。
【０００６】
次にプリセットされていたリテーナ４を、本係止爪６とコネクタハウジング３の口縁７との係止力に抗してコネクタハウジング３内に嵌入させ、その本係止爪６を口縁７の内側に係止させて、コネクタハウジング３とリテーナ４を本係止させれば、そのリテーナ４に設けられている係止爪４Ａが接続端子１と係止されることから、コネクタハウジング３内に挿入されている接続端子１は、係止ランス９とリテーナ４の係止爪４Ａによる二重係止によりコネクタハウジング３内からの抜け止めが確保されるものである。
【０００７】
【発明が解決しようとする課題】
ところが、かかる従来のコネクタ構造にあっては、コネクタハウジング３に対するリテーナ４のプリセットの係止維持力が不充分であるために、そのリテーナ４をプリセットしているコネクタハウジング３の搬送移送時又は取扱い作業時にリテーナ４が本係止方向へ押されると本係止されてしまうことがあり、これによってコネクタハウジング３内への接続端子の挿着作業ができなくなるという不具合が生じる。
【０００８】
また上記従来のコネクタ構造では、例えば図１１で示すように、コネクタハウジング３内に挿入されている接続端子１が半挿入状態であっても、リテーナ４をコネクタハウジング３内へ完全挿入することができるために、リテーナ４の完挿により接続端子の半挿入状態を確認することができず、これが原因で接続端子１が半挿入状態のままで使用されてコネクタの接続不良事故を起すという不具合もあった。
【０００９】
本発明はかかる従来の不具合に着目してなされたもので、接続端子を二重係止させるために使用されるリテーナを、プリセットしてなるコネクタハウジングの搬送又は取扱い作業時等において、そのリテーナをコネクタハウジングに対して誤って本セットさせてしまうことがない構成とすると共に、そのコネクタハウジング内に挿入した接続端子が半挿入状態であるときは、このコネクタハウジングと相手コネクタハウジングとの完全嵌合を不可能となして、この嵌合不能によりコネクタハウジング内での接続端子の挿着が不完全であることを認識させることができる端子半挿入検知コネクタの提供を目的とする。
【００１０】
【課題を解決するための手段】
上記目的を達成するために本発明の請求項１では、コネコネクタハウジングの内部に挿入された接続端子の抜け止めとなる係止ランスを具備せしめてなるコネクタハウジングと、該コネクタハウジングの上記接続端子挿入側と反対側より嵌入されて、コネクタハウジング内に既に挿入されている接続端子を、該接続端子の挿入方向に延びる片持ち状の係止部と該係止部の上記接続端子側に設けられた係止段部を備えて、上記係止ランスと協働して二重係止するリテーナを有し、該リテーナは、コネクタハウジングに対し、プリセット位置と本セット位置が設定できるコネクタにおいて、上記コネクタハウジングの内側面に、誤セット防止突起を突設せしめ、上記リテーナの係止部側面には、該リテーナのプリセット位置で上記誤セット防止突起と係止してリテーナの嵌入が阻止され、かつこのリテーナがプリセット位置にあるとき、上記コネクタハウジングの内部に挿入される接続端子の挿入力で押動されて誤セット防止突起との係止が解除されてリテーナのコネクタハウジング内部への嵌入が許される突起を設け、さらに上記リテーナの係止部の先端部には、コネクタハウジング内に挿入されている接続端子が半挿入状態であるとき、その半挿入状態にある接続端子に押動されてコネクタハウジングの外部へ突出される突起部が形成されていることを特徴としている。
【００１１】
この請求項１に記載のコネクタによれば、リテーナのプリセット位置を確保させることができ、これによってコネクタハウジングの搬送時、取扱い時におけるリテーナの誤動による本セットを未然に防止することができる。
【００１２】
またコネクタハウジング内への接続端子挿入作業時において、その接続端子の半挿入状態が生じていると、この半挿入状態を確実に検出することができ、接続端子の組付信頼性を高めることができる。
【００１３】
【発明の実施の形態】
以下に本発明のコネクタを図１乃至図６に示す実施の形態に基いて詳細に説明する。
【００１４】
１１は複数個の端子収納室１２を形成しているコネクタハウジングであって、このコネクタハウジング１１の各端子収納室１２には、該端子収納室１２内に挿入された接続端子１３の抜け止めを行なう係止ランス１４が形成されている。さらに上記コネクタハウジング１１の両側内面には、誤セット防止突起１５が突設されている。この誤セット防止突起１５は、後述するリテーナの嵌入路内で形成されている。
【００１５】
１６はコネクタハウジング１１の接続端子挿入側とは反対側からそのコネクタハウジング１１内に嵌入されるリテーナであって、該リテーナ１６の構成は、コネクタハウジング１１の開口部を塞ぐようにしてコネクタハウジング１１内へ嵌合されるフロント部１７と、該フロント部１７により支持されかつそれぞれの端子収納室１２に対応する複数の係止部１８が形成されており、各係止部１８はフロント部１７に接近する基部が可撓弾性を有している。
【００１６】
これら係止部１８には、コネクタハウジング１１内に挿入されている接続端子１３に対し、上記の係止ランス１４と協働して接続端子１３を二重係止する係止段部１９と、その係止段部１９の形成方向と逆方向へ突出形成されている突起部２０と、各係止部１８の側面に突設されて、コネクタハウジング１１内へのリテーナ１６の嵌入時に上記の誤セット防止突起１５に突き当る突起２１が形成されている。さらに上記フロント部１７の外側面には、コネクタハウジング１１の内側面に形成されている仮係止部２２と仮係止し得る仮係止爪２３が突設されている。
【００１７】
以上が本実施の形態であるが、次にその作用について具体的に述べる。
かかる構成のコネクタにあっては、そのコネクタハウジング１１の端子収納室１２内へ接続端子１３を組付ける前のコネクタハウジング１１及びリテーナ１６にあっては、図２で示すようにコネクタハウジング１１に対しリテーナ１６がプリセットされている。つまりリテーナ１６に設けられている仮係止爪２３がコネクタハウジング１１の内側面に形成されている仮係止部２２と仮係止されるまでリテーナ１６をコネクタハウジング１１内へ嵌入する。
【００１８】
このときリテーナ１６に突設されている突起２１が、コネクタハウジング１１の内側面に設けられている誤セット防止突起１５に当接されるため、リテーナ１６はそれ以上コネクタハウジング１１内に押入されることなく、しかも仮係止爪２３と仮係止部２２との係止によりコネクタハウジング１１より離脱されることなく、プリセットされる。このリテーナ１６のプリセット状態でコネクタハウジング１１は搬送されまた取り扱われる。
【００１９】
次にリテーナ１６がプリセットされているコネクタハウジング１１に対して図３で示すように接続端子１３を挿入し、接続端子１３の組付けを行なうのであるが、この接続端子１３の挿入動作時に、プリセットされているリテーナ１６の係止部１８は、挿入される接続端子１３で押し上げられ、接続端子１３の挿入が許される。
【００２０】
さらに接続端子１３が挿入され、その接続端子１３が完全挿入状態になったとき、図４で示すようにリテーナ１６の係止部１８に形成されている係止段部１９が接続端子１３上に乗り上る。このためにリテーナ１６に設けられている突起２１とコネクタハウジング１１に設けられている誤セット防止突起１５との当接が解除される。
【００２１】
そこでプリセット位置にあったリテーナ１６はコネクタハウジング１１内へ押し込むことが可能となり、図５で示すように、そのリテーナ１６をコネクタハウジング１１内へ完全嵌入すると、リテーナ１６の係止部１８の係止段部１９は、その弾性復元力で接続端子１３の切欠部２４内に落ち込み、これによりリテーナの本セット位置が確保されると共にコネクタハウジング１１内に挿入された接続端子１３は、係止ランス１４とリテーナ１６による二重係止が達成され、接続端子１３のコネクタハウジング１１内へ組付けが完了する。
【００２２】
仮に図３で示すように、コネクタハウジング１１内に挿入された接続端子１３が半挿入状態であるにもかかわらず誤ってリテーナ１６をコネクタハウジング１１内へ押し込まれた場合は、そのリテーナ１６に形成されている係止段部１９が接続端子１３に乗り上げられたままとなって、そのリテーナ１６の突起部２０がコネクタハウジング１１の上面より突き出た状態となっているために、この突起部２０の突き出た状態を目視することで接続端子１３の半挿入状態が確認できる。またこの目視による接続端子の半挿入状態が確認できなかったとしても、その接続端子が半挿入状態にあるコネクタハウジング１１を相手コネクタハウジング２５内に嵌入しようとしたとき、その突起部２０がコネクタハウジング上面より突き出されているためにそのコネクタハウジング１１を相手コネクタハウジング２５内へ完全嵌入することができず、これによってコネクタハウジング１１に対する接続端子の半挿入状態が有効に検知できる。
【００２３】
以上のように本実施の形態である端子半挿入検知コネクタ構造によれば、コネクタハウジングに対してプリセットされているリテーナは、そのリテーナ１６に設けられている突起２１とコネクタハウジングに設けられている誤セット防止突起１５との当接作用により、そのリテーナに対して外押力が加わっても該リテーナは、コネクタハウジング内へ押し込まれることがなく、このためにリテーナをプリセットしているコネクタハウジングの搬送時等において、該リテーナが誤ってコネクタハウジング内の本セット位置へ押し込まれることがなく、リテーナのプリセット位置が確保できる。また上記コネクタハウジング内へ挿入する接続端子が半挿入状態にあるときは、リテーナに設けられている突起部２０がコネクタハウジングの上面より突出し、該突起部２０の突出によりコネクタハウジングに対しての相手コネクタの完全嵌入が不能となるので、その状況により接続端子が半挿入状態であることが容易に確認できる。
【００２４】
【発明の効果】
このように本発明よりなる端子半挿入検知コネクタによれば、コネクタハウジング内に挿入された接続端子を二重係止するために使用されるリテーナのプリセット位置を確保できる。またコネクタハウジング内に挿入された接続端子の半挿入状態を容易に検知することができ、接続端子の接続不良を未然に防止することができる。
【図面の簡単な説明】
【図１】本発明よりなるコネクタの実施の形態を示す分解斜視図。
【図２】本発明よりなるコネクタの実施の形態を示し、リテーナのプリセット時を示す断面説明図。
【図３】本発明よりなるコネクタの実施の形態を示し、接続端子の挿入過程を示す断面説明図。
【図４】本発明よりなるコネクタの実施の形態を示し、接続端子の完全挿入時を示す断面説明図。
【図５】本発明よりなるコネクタの実施の形態を示し、接続端子及びリテーナの完全挿入時を示す断面説明図。
【図６】本発明よりなるコネクタの実施の形態を示し、接続端子の半挿入時における相手コネクタハウジングの嵌合を示す断面説明図。
【図７】従来のコネクタを示す分解斜視図。
【図８】従来のコネクタにおけるリテーナのプリセット時を示した平断面図。
【図９】従来のコネクタにおけるリテーナのプリセット時を示した側断面図。
【図１０】従来のコネクタにおける接続端子の完全挿入とリテーナの完嵌合時を示す断面図。
【図１１】従来のコネクタにおける接続端子の半挿入時を示す断面説明図。
【符号の説明】
１１…コネクタハウジング
１２…端子収納室
１３…接続端子
１４…係止ランス
１５…誤セット防止突起
１６…リテーナ
１７…フロント部
１８…係止部
１９…係止段部
２０…突起部
２１…突起
２２…仮係止部
２３…仮係止爪
２４…切欠部
２５…相手コネクタハウジング
【図１】
0003949332.tif 000002
【図２】
0003949332.tif 000003
【図３】
0003949332.tif 000004
【図４】
0003949332.tif 000005
【図５】
0003949332.tif 000006
【図６】
0003949332.tif 000007
【図７】
0003949332.tif 000008
【図８】
0003949332.tif 000009
【図９】
0003949332.tif 000010
【図１０】
0003949332.tif 000011
【図１１】
0003949332.tif 000012